Podtech/llm-jp-corpus-v4-ja_patent huggingface dataset:
(57)【要約】      （修正有）【課題】吸水・吸湿性や放湿性など機能の異なる布帛を複数枚重ねて湿潤しやすい環境で長期に使用できる衛生的な足拭きマットを提供する。【解決手段】吸水拡散マイクロファイバーで編織した布帛を、上層部と下層部に使用する。さらに、該上層部と該下層部との中間層として、マット使用時に繰り返して踏圧されることによるポンピング現象で吸湿と放湿を促進するようにハニカム構造に織製した中芯層を設ける。この三層構造を１枚の単体マットとし、該単体マットを複数枚重ね合わせて、最上層の平面中央部から最下層を一線状にブック式にステッチ縫いをして重ね合わせる。床面と接触するマットの最下層は、滑り止めをした防水層で構成してもよい。【選択図】図５
0003144484.tif 000002
【実用新案登録請求の範囲】
【請求項１】
・本考案による足拭きマットは吸水速乾マイクロファイバーよりなる上層部の表地と下層部の裏地との中間に立体構造に織製した中芯地の３つの異なる層により構成する。
【請求項２】
［請求項１］記載の構成単体を複数枚重合し、該最上層の平面中央部より最下層（床面層）を１線状にステッチ縫いした構造を有する。
【請求項３】
［請求項２］記載の最下層（床面層）は使用時の環境に応じて滑り止め加工した防水層で構成することができる。
【考案の詳細な説明】
【考案の詳細な説明】
【技術分野】
【０００１】この考案は風呂場、調理場や洗面所等の湿潤し易い環境で使用する足拭きマットに関する。
【背景技術】
【０００２】従来、足拭きマットは一枚のシートを家庭や公衆浴場などで使用してきた。近年では見た目にも良く肌触りを改善した商品も市場にある。しかしその一方で短期間の使用で破棄するケースが多い。原因の一つには、衛生面での配慮の結果と考えられる。
【考案が解決しようとする課題】
【０００３】一般家庭、病院、学校医務室等の湿潤環境、例えば浴室の出入口や足湯、医療処置後等で足拭きマットを使用する際、頻繁に取り替える必要がある。これを怠るとカビ菌の発生や皮膚病菌等の伝播する温床となり、またこれらの菌類は悪臭の発生する原因ともなる。この考案は取替え頻度を減らし且つ衛生的な足拭きマットにある。
【課題を解決するための手段】
【０００４】本考案はポリエステルを基材とした吸水拡散マイクロファイバーで編織した布帛を上層部と下層部に使用する。このほか吸水速乾性に優れたソフィスタ（株式会社クラレ製；商標）、エアロタッシュ（東レ株式会社製；商標）や防菌防臭性及び消臭性に優れた繊維として一般に市販されているマイティートップ（帝人ファイバー株式会社製；商標）、デオメタフィ（大和紡績株式会社；商標）ディスメル（東洋紡績株式会社製；商標）などがあげられる。
【０００５】さらに、該上層部と該下層部との中間層として立体構造に織製した（以下立体ハニカムと称する）中芯層がある。例えば、登録実用新案第３１０９３２０号やフュージョン（旭化成せんい株式会社製；商標）などその一例であり、またこのほか高吸水、高吸湿性に優れたベルオアシス（帝人ファイバー株式会社製；商標）、モイスファイン（東洋紡績株式会社製；商標）などがあげられる。核中芯層はマット使用時に繰り返される踏圧によってポンピング現象を誘発し、吸湿と放湿を促進する。
【０００６】本考案の特徴は［図５］に図示したようにマットを単体では使用しない。複数枚の重合しブック型の構造体である。
【０００７】床面と接触するマットの最下層は［図４］に図示した如く滑り止め加工した防水層で構成する。
【考案を実施するための最良の形態】
【０００８】ポリエステルを基材とした吸水拡散マイクロファイバーで編織した布帛を表層部と裏層部に、該二層の中間層に立体ハニカムを芯材とした断面［図３］で構成する（以下単体マットと称する）。【０００９】次に単体マットを複数枚重合する（以下重合マットと称する）。【００１０】［図４］のに示した防水滑り止め加工した最下層（床面と接触する層）上に重合マットと合体し、最後の工程で表層のマット中央部より［図５］の５に示したステッチ縫着し、ブック形の足拭きマットが完成する。
【考案の効果】
【００１１】本考案によるマットは、防菌性と防臭性を兼備し且つ吸水速乾性を長時間に亘り持続するので、衛生面の保持が可能となる。たとえば家庭内で使用する際の一例として家族構成員毎に本のページを捲る動作で自分専用の使用表面を維持する事が出来る。そのため水虫菌等の移動を未然に防止することが可能となる。周期的な洗濯によって、防菌、防臭、吸水速乾等の特性は殆ど変わらいので、人為的な損傷や磨耗のない限り長期の使用が可能である。
【図面の簡単な説明】
【図１】  単体マットの表平面図である。
【図２】  床面に接触する底部配置マット裏平面図である。
【図３】  単体マットの断面図である。
【図４】  床面に接触する底部配置マットの断面図である。
【図５】  ブック型足拭きマットの斜視図である。
【図１】
0003144484.tif 000003
【図２】
0003144484.tif 000004
【図３】
0003144484.tif 000005
【図４】
0003144484.tif 000006
【図５】
0003144484.tif 000007
【手続補正書】
【提出日】平成20年5月23日(2008.5.23)
【手続補正１】
【補正対象書類名】実用新案登録請求の範囲
【補正対象項目名】全文
【補正方法】変更
【補正の内容】
【実用新案登録請求の範囲】
【請求項１】
・吸水速乾マイクロファイバーよりなる上層部の表地と下層部の裏地との中間に立体構造に織製した中芯地を入れ３つの異なる層により構成された足拭きマット。
【請求項２】
・請求項１記載の足拭きマットを重ね合わせ、該最上層の平面中央部より最下層（床面層）を１線状にブック式にステッチ縫いした重合マット。
【請求項３】
・最下層（床面層）を使用時の環境に応じて滑り止め加工した請求項２記載の重合マット。
(57)【要約】      （修正有）【課題】屋根の表面に設置することで、断熱性能の向上を図ることのできる塗装した軽量気泡コンクリートパネルの設置構造を提供する。【解決手段】新設又は既設コンクリート・金属屋根４の上に、下地材３を取りつけ、該下地材に塗装した軽量気泡コンクリートパネル２を取りつける。水上・水下は該軽量気泡コンクリートパネルの浮上り防止および雨水排水のため該パネルを設置しない。【選択図】図１
0003144481.tif 000002
【実用新案登録請求の範囲】
【請求項１】
塗装した軽量気泡コンクリートパネル（通称：ＡＬＣパネル以下ＡＬＣパネルと呼ぶ）を屋根・ベランダに設置し屋上からの熱を遮断する
【考案の詳細な説明】
【技術分野】
【０００１】本考案は建築用ＡＬＣパネルを屋上に設置し、ＡＬＣパネルの持つ断熱性能を利用して建物内部の温熱化を防ぐものである【０００２】従来ＡＬＣパネルを屋根に使用する場合屋根材の下地として使っていた【０００３】ＡＬＣパネルは軽量であるため、既存の建物にも構造的負担が少ない
【考案の開示】
【考案が解決しようとする課題】
【０００４】従来の屋根は熱透過率が高く夏場には建物内部が高温高熱になり冷房費用が高くつく。
断熱効果の高いＡＬＣパネルを屋根の表面に設置する事により前述の欠点を解決するものである
【課題を解決するための手段】
【０００５】本考案はＡＬＣパネルを建造物の屋上やベランダ等に設置する事に依り、屋根からの熱を遮断することにより問題を解決した
【考案の効果】
【０００６】ＡＬＣパネルの断熱効果を活かし屋上からの熱を遮断する事に依り、建物の冷房費を大幅に軽減できる
【考案を実施するための最良の形態】
【０００７】屋根上に下地材を取り付け、その下地材に塗装したＡＬＣパネルをとりつける。水上・水下はＡＬＣパネルの浮き上がり防止・雨水排水の為ＡＬＣパネルを設置しない。
【実施例】
【０００８】以下、添付図面に従って説明する。（１）は屋根用塗装  （２）は塗装したＡＬＣパネル、当該図面では厚さ３８ｍｍを利用しているが厚いＡＬＣパネルも利用する事が出来る  （３）は下地材（４）は新設及び既設コンクリート・金属屋根【０００９】（５）設置したパネル
（６）は建物（７）は建物内部の天井（８）は軒樋（パネル設置後も雨水の排水はこれを利用する）（９）は新設・既存屋根
【図面の簡単な説明】
【００１０】
【図１】本考案のイメージ断面図
【図２】本考案の設置イメージ図
【符号の説明】
【００１１】（１）保護用屋根塗装
（２）ＡＬＣパネル
（３）パネル取り付け用下地材
（４）新設及び既設コンクリート・金属屋根
（５）設置したパネル
（６）建物
（７）天井
（８）軒樋
（９）新設・既存屋根
【図１】
0003144481.tif 000003
【図２】
0003144481.tif 000004
【手続補正書】
【提出日】平成20年5月30日(2008.5.30)
【手続補正１】
【補正対象書類名】実用新案登録請求の範囲
【補正対象項目名】全文
【補正方法】変更
【補正の内容】
【実用新案登録請求の範囲】
【請求項１】
屋根やベランダに設置し屋根や屋上からの熱を遮断し室内の高温下化を防止する塗装したＡＬＣパネル
(57)【要約】      （修正有）【課題】全部鉄製として適宜塗装し、実用とインテリアに併用できるようにした自在鉤を提供する。【解決手段】自在鉤本体１の吊り筒を鉄管にリングを装着して竹状にし自在具２を鉄製で波状に装飾し、自在具３を鉄板製で鯉の形体に装飾し、吊り金具４装備した。自在鉤本体１の竹状の筒をライトカーキーに、自在具２の波状の装飾をクロムに、自在具３の鯉の形体の装飾をゴールドに、吊り金具４をブラックなどに塗装して、実用にもインテリアにも併用できるようにした。【選択図】図１
0003144482.tif 000002
【実用新案登録請求の範囲】
【請求項１】
自在鉤本体１の吊り筒の鉄管にリングを装着して竹状にし、自在具２を鉄製で波状に装飾し、自在具３を鉄板製で鯉の形体に装飾し、吊り金具４を装備した自在鉤。
【考案の詳細な説明】
【考案の詳細な説明】
【考案が解決しようとする課題】
【０００１】  従来の自在鉤は種々あり、その自在具の装飾はさまざまであるが、鯉の形体は主に木製であり、鉄板製の鯉の形体は少なく、また実用的でインテリア的なものがなかった。
【課題を解決するための手段】
【０００２】  上記目的を達成するために、自在鉤本体１の吊り筒の鉄管にリングを装着して竹状にし自在具２を鉄製で波状に装飾し、自在具３を鉄板製で鯉の形体に装飾し、吊り金具４を装備した自在鉤。自在鉤本体１の竹状の筒をライトカーキーに、自在具２の波状の装飾をクロムに、自在具３の鯉の形体の装飾をゴールドに、吊り金具４を、ブラックなどに塗装して、実用にもインテリアにも併用できるようにした。
【考案の効果】
【０００３】この自在鉤は実用また、インテリアにも併用ができ、その効用を深めることができる。
【図面の簡単な説明】
【図１】  自在鉤の正面図である。
【符号の説明】
１  本体
２  自在具
３  自在具
４  吊り金具
【図１】
0003144482.tif 000003
【手続補正書】
【提出日】平成20年6月2日(2008.6.2)
【手続補正１】
【補正対象書類名】実用新案登録請求の範囲
【補正対象項目名】全文
【補正方法】変更
【補正の内容】
【実用新案登録請求の範囲】
【請求項１】
自在鉤の本体１の吊り筒は、従来竹製であったが、鉄管にリングを装着して竹状にし、それに鉄製で波状に装飾した自在具２を連結し、それに従来木製であった鯉の形体を鉄板製で装飾した自在具３を連結した自在鉤。
(57)【要約】      （修正有）【課題】二輪車の運転者が転倒した場合にも顔や首に絡みつく恐れのないヘルメット体用風除けフード及び日差し防けを提供する。【解決手段】フードは鼻口覆い部、頬覆い部、及び耳覆い部からなり、布などのやわらかく柔軟で折り畳み可能な素材によって形成されている。前記フードは顔面前面を覆い、後頭部へは回りこまない構造であり、ヘルメットと容易に着脱可能なように取付けるため、転倒した場合にフードが顔や首へ絡みつくことを防止することができる。【選択図】図２
0003144456.tif 000002
【実用新案登録請求の範囲】
【請求項１】
鼻の上部から顎の下端までを覆い得る上下幅を有すると共に、顔の前面を覆い得る左右幅を有する鼻口覆い部と、
前記鼻口覆い部の左右にそれぞれ連接して形成され、かつ、頬を覆い得る上下幅と左右幅を有する頬覆い部と、
左右の頬覆い部のそれぞれ上方に連接され、耳を覆い得る左右幅を有すると共に耳の上端に達する上下幅を有する耳覆い部と、左右耳覆い部の上方にそれぞれ連接され、頭部に被ったヘルメット体の左右側面に各々着脱可能な着脱部とが一体に形成され、
鼻口覆い部、頬多い部及び耳覆い部で囲まれる空部が目出し部に形成されてなる
ことを特徴とするヘルメット体用風除けフード及び日差し防け。
【考案の詳細な説明】
【技術分野】
【０００１】
本考案は、ヘルメットもしくは帽子（以下ヘルメット体とする）の両側面に取り付けて使用するヘルメット体用風除けフード及び日差し防けに関する。
【背景技術】
【０００２】
冬場など、気温の低い時期に二輪車（二輪車には自動二輪車および自転車が含まれる）に乗ると、風等からうける寒さ対策として、頭部全周を覆う防寒具が用いられている。
【０００３】
【特許文献１】特開平６−３４１００３
【考案の開示】
【考案が解決しようとする課題】
【０００４】
しかし、上記のような従来の防寒具は、頭部や首の後部までをも覆い、また着脱においては容易に行うことができず、また、防寒具を顔の前面から後面まで全周にわたって巻いた場合には、万一転倒して防寒具が絡みついた場合に、首に巻きついて首を締め付ける事故につながる恐れがあり、しかもすばやく防寒具を取り除けないために呼吸が困難な状況に陥る可能性もある。
【０００５】
本考案は、簡単に着脱できるヘルメット体用風除けフード及び日差し防けに関するものであり、本願フードを着用した者が転倒した場合にも首に絡みつく恐れのない風除けフードを提供することを目的とする。
【課題を解決するための手段】
【０００６】
本願のヘルメット体用風除けフード及び日差し防けは、鼻の上部から顎の下端までを覆い得る上下幅を有すると共に、顔の前面を覆い得る左右幅を有する鼻口覆い部と、前記鼻口覆い部の左右にそれぞれ連接して形成され、かつ、頬を覆い得る上下幅と左右幅を有する頬覆い部と、左右の頬覆い部のそれぞれ上方に連接され、耳を覆い得る左右幅を有すると共に耳の上端に達する上下幅を有する耳覆い部と、左右耳覆い部の上方にそれぞれ連接され、頭部に被ったヘルメット体の左右側面に各々着脱可能な着脱部とが一体に形成され、鼻口覆い部、頬多い部及び耳覆い部で囲まれる空部が目出し部に形成されてなることを特徴とする。
【０００７】
フードは、鼻口覆い部、頬覆い部、及び耳覆い部からなることから、顔前面を覆うものであり、後頭部は覆わない構造に形成される。
【０００８】
本願のフードは、布などのやわらかく柔軟で折りたたみ可能な素材によって形成されていることが好ましい。
【０００９】
フードに形成された、ヘルメット体の左右側面に各々着脱可能な着脱部はボタンにより構成されていても良いが、広範囲に装着でき、容易に着脱できる点でより好ましくは面ファスナーにより構成されていることが望ましい。
【考案の効果】
【００１０】
本考案によるフードは顔面前面を覆い、後頭部へは回りこまない構造であるため、転倒した場合にフードが首に絡みつくことを防止することができる。
【００１１】
また、本願フードは顎、口、鼻、頬、耳を覆い隠し、かつ視界は確保できるように顔を覆うことができ、顔面に吹き付ける風等から受ける寒さを凌ぐことができる。また、日防けとしても効果がある。
【００１２】
さらに、フードは顔面前面を覆い、後頭部へ回りこまない構造であること及びヘルメット体との着脱部が面ファスナー等の容易に着脱可能に構成されることから、児童が使用するような場合であっても着脱が容易である。
【考案を実施するための最良の形態】
【００１３】
以下、本考案のヘルメット体用風除けフード及び日差し防けについて、実施例に基づきさらに詳細に説明する。
【００１４】
図１は本考案に係るフードの正面図である。フード１は１枚の柔軟な素材からなっている。フード１の中心部分は顎、口および鼻を覆うための鼻口覆い部２であり、鼻口覆い部２は顔左右幅を覆うことができる幅を有している。鼻口覆い部２の左右には頬を覆うための頬覆い部３および３’が連接されて形成されており、頬を覆うことができる上下幅及び左右幅を有している。頬覆い部３および３’の上方には耳を覆うための耳覆い部４および４’が連接されて形成されており、頬覆い部３および３’上方に耳の上端に達するまで延出している。また、耳覆い部４および４’は耳の左右を覆うことができる左右幅を有している。
【００１５】
鼻口覆い部２、頬覆い部３、３’および耳覆い部４、４’は上記のように連接されて形成されているが、それぞれの部分は図１の破線で示されるように隣り合う部分同士が重なり合って構成されていてもよく、また、それぞれの部分の境界が明確にわかるように形成されている必要はない。
【００１６】
フード１の裏面であって、耳覆い部４、４’の上端部には着脱部５、５’が取付けられており、本実施例においては該着脱部５、５’に面ファスナーを用いた。ヘルメット体６の左右に側面にも取付けられたヘルメット体付属着脱部７、７’と組み合わせることによりフード１をヘルメット体６に着脱可能なように取付けることができる。
【００１７】
図２はフード１の使用状態を示す図である。図２に示すように、フード１は顎、口、鼻、頬、耳を覆い隠し、かつ視界は確保できるように顔を覆うことができるため、視界を遮ることなく顔面に吹き付ける風等から受ける寒さを凌ぐことができ、日差し防けとしても効果がある。
また、フード１は後頭部まで回りこむような構造ではなく、側頭部より顔面側を覆う構造である。
また、ヘルメット体６の左右側面にヘルメット体付属着脱部７、７’が備えられているため、後頭部に手を回す必要がなく児童が使用するような場合でも容易に着脱することができる。
【図面の簡単な説明】
【００１８】
【図１】ヘルメット体用風除けフード及び日差し防けの正面を示す図である。
【図２】ヘルメット体用風除けフード及び日差し防けの使用状態を示す図である。
【符号の説明】
【００１９】
１        フード
２        鼻口覆い部
３、３’  頬覆い部
４、４’  耳覆い部
５、５’  着脱部
６        ヘルメット体
【図１】
0003144456.tif 000003
【図２】
0003144456.tif 000004
(57)【要約】      （修正有）【課題】幼児や不法侵入者の開錠を困難にさせて、事故や犯罪を防止するクレセント錠用安全防犯保護具を提供する。【解決手段】クレセント錠１のハンドルより大きな長さのバー２において、このバーの側面にクレセント錠１のハンドル操作用突部３に挿入できる開口を設け、クレセント錠を回転させた時にバーの下方部がクレセント錠受部に当たることによりクレセント錠の開錠をできなくすることができ、開口部にストッパー４を設けることで更に確実に開口できなくすることができるという利便性がある。【選択図】図１
0003144080.tif 000002
【実用新案登録請求の範囲】
【請求項１】
クレセント錠のハンドルの直径より大きな長さのバーにおいて、このバーの側面にクレセント錠のハンドル操作用突部に挿入できる開口を設け、クレセント錠を回転させた時にバーの下方部がクレセント錠受部に当たることによりクレセント錠の開錠をできなくすることを特徴とするクレセント錠用安全防犯保護具。
（１）
【考案の詳細な説明】
【技術分野】
【０００１】
本考案は、クレセント錠用安全防犯保護具に関するものである。
【背景技術】
【０００２】
幼児、特に伝い歩きを始めたばかりの幼児は、無意識にクレセント錠に手をかけて鍵を開けてしまい事故にあうケースが多々ある。また、不法侵入者の侵入手口として多いのは、クレセント錠付近のガラスだけを割り、クレセントを開錠することで家に侵入してくる。
【考案の開示】
【考案が解決しようとする課題】
【０００３】
従来のクレセント錠はロック機能が付いていないものも多く、またロック機能がついていても、容易に開錠できてしまう。従って幼児には開錠できないように、また不法侵入者には少しでも侵入を遅らせるために、クレセント錠用安全防犯保護具により、前述の問題点を解決しようとするものである。
【課題を解決するための手段】
【０００４】
本考案は、クレセント錠のハンドルより大きな長さのバーにおいて、このバーの側面にクレセント錠のハンドル操作用突部に挿入できる開口を設け、クレセント錠を回転させた時にバーの下方部がクレセント錠受部に当たることによりクレセント錠の開錠をできなくすることで問題点を解決している。
【考案の効果】
【０００５】
上述のように、クレセント錠（１）のハンドルより大きな長さのバー（２）において、このバーの側面にクレセント錠のハンドル操作用突部（３）に挿入できる開口を設け、クレセント錠を回転させた時にバーの下方部がクレセント錠受部に当たることによりクレセント錠の開錠をできなくすることができる。また、開口部にストッパー（４）を設けることで更に確実に開口できなくすることができる。
（２）
【考案を実施するための最良の形態】
【０００６】
バーの側面に設けた開口部の中にストッパーの機能を持つゴム又は発砲樹脂を設け、バーの長さをクレセント錠より長くしたほうが望ましい。
【実施例】
【０００７】
以下、添付図面に従って一実施例を説明する。２は硬い合成合成樹脂等よりなるバーであり、その上方部側面にストッパー付き開口部を設けている。
【図面の簡単な説明】
【０００８】
【図１】本クレセント錠用安全防犯保護具をクレセント錠に取り付けた時の斜視図である。
【図２】本クレセント錠用安全防犯保護具の下方から見た斜視図である。
【符号の説明】
【０００９】
１  クレセント錠
２  バー
３  クレセント錠のハンドル操作用突部
４  ストッパー
【図１】
0003144080.tif 000003
【図２】
0003144080.tif 000004
(57)【要約】      （修正有）【課題】傾いた被打撃体の位置及び傾いた程度からゴルフクラブヘッド通過時のゴルフクラブヘッド位置及び高さを点検できる練習器具を提供する。【解決手段】被打撃体４は上下に細長い形状にしてほぼ一定間隔で並べて配置し下部の穴に被打撃体支持軸６を通し、上部をゴルフクラブヘッドが打撃したとき傾くように被打撃体支持軸６と半固定支持する。起し板２は傾いた被打撃体を起すためのもので起し板支持軸５回りに回転し、起し板柄部３を下方向に押すことで回転するようにする、起し板支持軸５と被打撃体支持軸６は台１で支持する。一点鎖線７は被打撃体４が傾いた状態を示す。一点鎖線８は起し板２が傾いた状態を示す。一点鎖線９はゴルフクラブヘッドが被打撃体上部を打撃する直前の推定状態を示す。【選択図】図１
0003144069.tif 000002
【実用新案登録請求の範囲】
【請求項１】
ゴルフボールに代えて上下に細長い被打撃体を用い、被打撃体はほぼ一定間隔で水平に並べ下部に設けた穴に台で支持する軸を通して半固定支持し、並べた被打撃体に直交するようにゴルフクラブヘッドで被打撃体の上部を打撃すると打撃された被打撃体のみが軸回りに傾くようにすることを特徴とするゴルフクラブスイング練習器具
【考案の詳細な説明】
【技術分野】
【０００１】
本考案はゴルフクラブの練習器具に関するものである。
【背景技術】
【０００２】
ゴルフクラブの適正な打撃時スイングは重要であるが瞬間のことでわかり難く、打撃練習や指導者に見てもらう等で習得している。
【考案の開示】
【考案が解決しようとする課題】
【０００３】
ゴルフクラブの打撃時スイングを簡単な器具で点検できるようにすることが課題である。
【課題を解決するための手段】
【０００４】
本考案はゴルフボールに代えて上下に細長い被打撃体を用い、被打撃体はほぼ一定間隔で水平に並べ下部に設けた穴に台で支持する軸を通して半固定支持し、並べた被打撃体に直交するようにゴルフクラブヘッドで被打撃体の上部を打撃すると打撃された被打撃体のみが軸回りに傾くようにする。
【０００５】
上述の構造の器具により、傾いた被打撃体の位置及び傾いた程度からゴルフクラブヘッド通過時のゴルフクラブヘッド位置及び高さを点検できる。
【考案の効果】
【０００６】
本考案の器具により狭い場所での練習でゴルフクラブスイングの点検ができる。また被打撃体下部を打撃しないようにスイング時のゴルフクラブヘッド最下位置を過ぎた位置に本器具を置くことから打撃直後のゴルフクラブヘッド位置及び高さを知ることになり打撃直後のゴルフクラブヘッド挙動の点検に効果がある。
【考案を実施するための最良の形態】
【０００７】
本考案器具は添付図面において、被打撃体４は上下に細長い形状にしてほぼ一定間隔で並べて配置し下部の穴に被打撃体支持軸６を通す、被打撃体４は上部をゴルフクラブヘッドが打撃したとき傾くように被打撃体支持軸６と半固定支持する、起し板２は傾いた被打撃体を起すためのもので起し板支持軸５回りに回転する、起し板２は起し板柄部３を下方向に押すことで回転するようにする、起し板支持軸５と被打撃体支持軸６は台１で支持する、一点鎖線７は被打撃体４が傾いた状態を示す、一点鎖線８は起し板２が傾いた状態を示す、一点鎖線９はゴルフクラブヘッドが被打撃体上部を打撃する直前の推定状態を示す。
【図面の簡単な説明】
【０００８】
【図１】本考案器具の右側面図を示す。
【図２】本考案器具の正面図を示す。
【図３】本考案器具の上面図を示す。
【符号の説明】
【０００９】
１  台
２  起し板
３  起し板柄部
４  被打撃体
５  起し板支持軸
６  被打撃体支持軸
７  被打撃体7の傾いた状態
８  起し板２の回転した状態
９  ゴルフクラブヘッドが被打撃体上部を打撃する直前の推定状態
【図１】
0003144069.tif 000003
【図２】
0003144069.tif 000004
【図３】
0003144069.tif 000005
(57)【要約】      （修正有）【課題】アレルギー性疾患などの方が無意識のうちに掻くことにより生じる掻き傷を低減する衣類を提供する。【解決手段】袖口部１は指先まで覆われており、袖口部１先端部が閉じられている。手平部３は着用者の手より大きくゆとりがある形状である。手が抜けないように手首部４が手平部より絞ってある形状である。使用する生地は綿で形成されている。この衣類を着用することにより、入睡中などに無意識に脱衣することがなくなり、掻いてしまう行為があっても、衣類を介して掻くため、皮膚の掻き傷を低減される。【選択図】図１
0003144011.tif 000002
【実用新案登録請求の範囲】
【請求項１】
衣類の袖が手の指先までを覆い、前記衣類の袖口先端部が閉じられていることを特徴とする掻き傷低減のための衣類
【請求項２】
上記衣類の生地が肌に優しく柔軟な素材からなることを特徴とする請求項1に記載の掻き傷低減のための衣類
【請求項３】
上記衣類の指先以外の部分が風通しの良い生地又は形状からなることを特徴とする請求項1に記載の掻き傷低減のための衣類
【請求項４】
上記衣類の手の部分がゆとりある形状からなることを特徴とする請求項1に記載の掻き傷低減のための衣類
【請求項５】
上記衣類の指先部分が手の指にフィットする形状からなることを特徴とする請求項1に記載の掻き傷低減のための衣類
【請求項６】
上記衣類の手首部分が手の平よりも小さく絞ってある形状からなることを特徴とする請求項1に記載の掻き傷低減のための衣類
【考案の詳細な説明】
【技術分野】
【０００１】
本考案は、人が意識または無意識に掻きむしることによってできる掻き傷低減のための衣類に関するものである。
【背景技術】
【０００２】
アレルギー性疾患などの人は、入睡中などに無意識に強く掻いてしまう行為が皮膚に損傷を与えて状態を悪化させてしまう。
【０００３】
この掻いてしまう行為自体を抑えることは非常に困難であるため、掻く行為をした場合に掻き傷を低減することが重要である。
【０００４】
この対策用具として、直接爪が皮膚にあたらないよう就寝時に着用する手袋等やミトンが知られている。
【特許文献１】特開平９−５９８０９号公報
【考案の開示】
【考案が解決しようとする課題】
【０００５】
従来技術に係る対策用具の手袋やミトンは、無意識のうちの外してしまい入睡中の間着用し続けるという事が困難になり、結果、皮膚に損傷を与えてしまう。
【課題を解決するための手段】
【０００６】
上記の課題を解決するための手段として、衣類の袖が手の指先までを覆い、前記衣類の袖口先端部が閉じられていることを特徴とする掻き傷低減のための衣類を提供する。この衣類を着用することにより、入睡中などに無意識に脱衣することがなくなり、掻いてしまう行為があっても、衣類を介して掻くため、皮膚の掻き傷は低減される。
【０００７】
この構成に加えて、生地が肌に優しく柔軟な素材を使用することで、着用者が着苦しく思わないように形成される。
【０００８】
指先以外の部分が風通しの良い生地又は形状にすることで、着用者が着苦しく思わないように形成される。
【０００９】
上記衣類の手の部分がゆとりある形状にすることで、着用者が窮屈感や圧迫感のないように形成される。
【００１０】
上記衣類の指先部分が手の指にフィットする形状にすることで、手作業を容易にすることができる。
【００１１】
上記衣類の手首部分が手の平よりも小さく絞ってある形状にすることで、手作業を容易にすることができる。
【考案の効果】
【００１２】
本考案により、手もしくは爪等により皮膚を直接的に掻く機会が減るため、皮膚を損傷する機会も必然的に減少させる事ができる。
【００１３】
本考案において、肌に優しく柔軟な生地かつ季節に応じて指先以外の部分が風通しの良い生地又は形状にすることで、着苦しさによる脱衣を減らすことができる。
【００１４】
本考案において、手の部分を各個人に合った最適な形状にすることでも同様に着苦しさによる脱衣を減らすことができる。
【考案を実施するための最良の形態】
【００１５】
袖口は、指先まで覆われており、袖口先端部が閉じられている。手の平の部分は、着用者の手より大きくゆとりがあり、手が抜けないように手首部分が手の平より絞ってある。これらの生地は綿で形成されている。
【実施例】
【００１６】
以下、図1に従って一実施例を説明する。図中の符号1は袖口部、2は衣類、2aは生地、3は手の平部、4は手首部である。
【００１７】
袖口部1は指先まで覆われており、袖口部1先端部が閉じられている。手平部３は着用者の手より大きくゆとりがある形状である。手が抜けないように手首部４が手平部より絞ってある形状である。使用する生地は綿で形成されている。
【００１８】
昼間は意識的に我慢することや周囲の人が注意することで掻く行為を抑制することはできるが、経験的に夜間の入睡中においてはこれが困難であった。そこで本実施例では、就寝前に本考案の衣類を毎回着用することとした。本考案の衣類を着用していなかった時爪で皮膚を直接掻くために流血する程の掻き傷ができていた。しかし、袖口先端部が閉じられている本衣類を着用することにより、無意識のうちに脱ぐことが容易でなくなった。よって、この衣類を介して掻くために爪で皮膚を直接掻くことはなくなり掻き傷ができなくなった。又、他にボタン付、チャック付などを試みたが、入睡中、無意識に開けて掻く行為をするために本考案が一番掻き傷を低減することができた。
【産業上の利用可能性】
【００１９】
アレルギー性疾患の方のみならず、乳幼児が無意識に掻いてしまう場合や病により乳幼児から大人までの人が皮膚を傷つけてしまう場合、また職業上、肌や爪を傷つけたくない場合、レインコートなどにも利用することが可能である。
【図面の簡単な説明】
【００２０】
【図１】本考案の実施形態例を示す衣類の正面図である。
【符号の説明】
【００２１】
1   袖口部
2   衣類
2a  生地
3   手平部
4   手首部
【図１】
0003144011.tif 000003
(57)【要約】      （修正有）【課題】血行増進を図り、首及び肩のこりの解消の効果を持つネックストラップにを提供する。【解決手段】ネックストラップ本体１に、ストラップを装着している間、継続的に、首及び肩付近に磁力を当てることで血行増進を促し、首及び肩のこりの解消するのに役立つよう、チタン又はゲルマニウム又は永久磁石の小片２を埋め込む。【選択図】図１
0003144016.tif 000002
【実用新案登録請求の範囲】
【請求項１】
ネックストラップの首に当たる部分にチタン又はゲルマニウム又は永久磁石の小片を埋め込んだ、健康器。
【考案の詳細な説明】
【技術分野】
【０００１】
本発明は、ネックストラップの首に当たる部分に、チタン又はゲルマニウム又は永久磁石の小片を埋め込んだ、健康器に関するものである。
【背景技術】
【０００２】
携帯電話、ＩＤカード等に使われているネックストラップは、首に掛けることで、両手が自由になるというものであった。
【考案の開示】
【考案が解決しようとする課題】
【０００３】
ネックストラップは、長時間首に掛けているものであるにも関わらず、本来の使用以外の付加価値が無かった。
【課題を解決するための手段】
【０００４】
本考案は、ネックストラップの首付近に、チタン又はゲルマニウム又は永久磁石の小片を埋め込むことにより、ストラップを装着している間、継続的に首及び肩付近に磁力を当て、首及び肩付近の血行増進を促し、首及び肩のこりの解消をしている。
【考案の効果】
【０００５】
本考案によって、ネックストラップを付けている間、継続的に首及び肩付近に磁力を当て続けることにより、本来のネックストラップの用途に加え、血行増進、こりの解消という更なる効果が得られる。
【考案を実施するための最良の形態】
【０００６】
ネックストラップの首付近に、チタン又はゲルマニウム又は永久磁石の小片をしっかりと固定し埋め込み、首付近に確実に磁力を当てることが望ましい。
【実施例１】
【０００７】
以下、添付図面に従って説明する。ネックストラップ１の首付近部分に、２の永久磁石の小片をしっかりと埋め込む。
【０００８】
激しい動きに備え、しっかりと固定し、また外から見えないように固定するのが望ましい。
【図面の簡単な説明】
【０００９】
【図１】本考案の健康ネックストラップを示す斜視図である。
【符号の説明】
【００１０】
１    ストラップ本体
２    チタン又はゲルマニウム又は永久磁石の小片
【図１】
0003144016.tif 000003
(57)【要約】      （修正有）【課題】戸外での活動、運動の最中に、熱射病、日射病に対する意識を啓発することができる起風用具を提供する。【解決手段】起風用具であって、骨材の一方の面に、基材、印刷層、示温インク層、表面保護層の順に固着して設け、骨材の他方の面には裏面基材を固着してなることを特徴とする起風用具である。起風用具は扇子又は団扇であり、気温の上昇により、一定温度に設定された示温インキが消滅し、下層の模様が現れ、危険気温への対応を促し、救命救急の一助となる。【選択図】図３
0003144047.tif 000002
【実用新案登録請求の範囲】
【請求項１】
起風用具であって、骨材の一方の面に、基材、印刷層、示温インク層、表面保護層の順に固着して設け、骨材の他方の面には裏面基材を固着してなることを特徴とする起風用具である。
【考案の詳細な説明】
【技術分野】
【０００１】
本考案は、示温インキを使用し、気温の上昇によりメッセージが表示又は消滅、変色し、熱射病、日射病の啓蒙、啓発を訴求する。
【背景技術】
【０００２】
扇又は扇子に熱射病、日射病啓発のメッセージを印刷し、危険気温に達した時、印刷したメッセージが現れ、熱射病に対する注意を促す。  
【考案の開示】
【考案が解決しようとする課題】
【０００３】
戸外での活動、運動の最中は、熱射病、日射病に対する意識が少なく病気に対し無防備である。
【課題を解決するための手段】
【０００４】
本考案は起風用具であって、骨材の一方の面に、基材、印刷層、示温インク層、表面保護層、を順に固着して設け、骨材の他方の面には裏面基材を固着してなることを特徴とする起風用具である。本考案による起風用具は、扇子又は団扇であり、前記の構成とすることによって気温の上昇を知らせ、熱射病に対する注意を喚起し警告する。
【考案の効果】
【０００５】
気温の上昇により、一定温度に設定された示温インキが消滅し、下層の模様が現れ、危険気温への対応を促し、救命救急の一助となる。  
【考案を実施するための最良の形態】
【０００６】
真夏の炎天下での集会、歓楽等気温の上昇が予想される会場で配布することにより事前に日射病や熱射病に対する注意を認識させる。
【実施例１】
【０００７】
以下、図面を参考に実施例を説明する。図１〜図２は本考案による扇子の積層材である。積層材は、基材、印刷層、示温インキ、表面保護層を積層したものである。図３〜図４は団扇ある。図５は図３のA−A'線断面を示す図である。基材（３）、印刷層（４）、示温インキ層（５）、表面保護層（６）を積層した積層材を団扇（２）の骨材（７）の一方の面に積層材（１）を基材に糊り付けする。そして骨材（７）の他方の面には裏面基材（８）を糊り付けし団扇とした。扇子も同様の行程で製造する。
【０００８】
気温の上昇により一定以上の温度になると、図５で示す示温インキ層（５）で描いた模様が消え透明になり、その下層である印刷層（4）は図２、図４のように模様が現れる。この状況を表面保護層（６）の側から視ると図１、図２、及び図３、図４のように変化することがわかる。
【０００９】
表面保護層（６）は示温インキ層（５）を保護するための層でありラミネート加工により保護する。
【図面の簡単な説明】
【００１０】
【図１】常温における扇子の模様を示す図
【図２】示温インキの模様が消えた扇子示す図
【図３】常温における団扇の模様を示す図
【図４】示温インキの模様が消えた団扇を示す図
【図５】図３のA−A'線  断面を示す図
【符号の説明】
【００１１】
１扇子用積層材
２団扇用積層材
３基材
４印刷層
５示温インキ層
６表面保護層
７骨材
８裏面基材
【図１】
0003144047.tif 000003
【図２】
0003144047.tif 000004
【図３】
0003144047.tif 000005
【図４】
0003144047.tif 000006
【図５】
0003144047.tif 000007
(57)【要約】      （修正有）【課題】机がない状態でも快適に使用することができるノート型パソコンの多機能収納箱を提供する。【解決手段】ノート型パソコンの多機能収納箱は、第一箱体、及び、第二箱体を枢接してなり、第一箱体と第二箱体の両側辺に二個の収納槽を凹設し、第一箱体の表面に、引き手を設置し、引き手の両側端に、それぞれ、連接棒を設置し、連接棒は、定位棒の凹槽内に定位して、ノート型パソコンのディスプレイを任意の傾斜角度に調整する。【選択図】図６
0003144044.tif 000002
【実用新案登録請求の範囲】
【請求項１】
ノート型パソコンの多機能収納箱であって、頑丈な材質からなり、内に衝撃を和らげるクッションを設置し、ノート型パソコンを衝撃から守り、前記多機能収納箱は、第一箱体、及び、第二箱体を枢接してなり、前記第一箱体と前記第二箱体の両側辺に二個の収納槽を凹設し、前記収納槽は、蓋板を前記第一箱蓋の前記収納槽上に装着し、前記第一箱体と前記第二箱体の収納槽を分割し、前記第一箱体の収納槽を隔てて設置し、信号線、USB拡充器、イヤフォン、マイクロフォン等を収め、前記第一箱体の表面に、引き手を設置し、前記引き手の両側端に、それぞれ、連接棒を設置し、前記連接棒は、定位棒の凹槽内に定位して、ノート型パソコンのディスプレイを任意の傾斜角度に調整するとともに、前記第一箱体は係合部と停止片を設置し、前記第二箱体の収納槽は隔てて設置され、変圧器、電源線、マウス等を収めることができることを特徴とするノート型パソコンの多機能収納箱。
【請求項２】
前記第一箱体と前記第二箱体の頂部外周縁に取っ手を設置することを特徴とする請求項1に記載のノート型パソコンの多機能収納箱。
【請求項３】
前記第二箱体側辺にノッチを有することを特徴とする請求項1に記載のノート型パソコンの多機能収納箱。
【請求項４】
前記収納箱は、取っ手、或いは、ショルダーストラップで携帯できることを特徴とする請求項1に記載のノート型パソコンの多機能収納箱。
【請求項５】
前記蓋板上に鉄片を有し、前記蓋板は前記第一箱体が設置する磁石を吸付することを特徴とする請求項1に記載のノート型パソコンの多機能収納箱。
【考案の詳細な説明】
【技術分野】
【０００１】
本考案は、ノート型パソコンの多機能収納箱に関するものであって、特に、ノート型パソコン専用の多機能収納箱に関するものである。
【背景技術】
【０００２】
一般のノート型パソコンは、カバンで携帯し、使用時に、コンピュータを取り出して使用する。しかし、机がない状態で使用することもあり、膝の上に置いて使用するので、コンピュータが散熱する温度で不快である。また、一般のコンピュータ鞄は、保護作用を具備しない。  
【考案の開示】
【考案が解決しようとする課題】
【０００３】
本考案の目的は、上述の問題を解決するノート型パソコンの多機能収納箱を提供することである。
【課題を解決するための手段】
【０００４】
上述の目的を達成するため、本考案のノート型パソコンの多機能収納箱は、第一箱体、及び、第二箱体を枢接してなり、第一箱体と第二箱体の両側辺に二個の収納槽を凹設し、第一箱体の表面に、引き手を設置し、引き手の両側端に、それぞれ、連接棒を設置し、連接棒は、定位棒の凹槽内に定位して、ノート型パソコンのディスプレイを任意の傾斜角度に調整する。
【考案の効果】
【０００５】
本考案により、ノート型パソコンは、手提げでもショルダーストラップでも携帯可能で、また、ノート型パソコンのディスプレイを任意の傾斜角度に調整することができる。
【考案を実施するための最良の形態】
【０００６】
図１〜図３を参照すると、本考案のノート型パソコンの多機能収納箱は、第一箱体１、及び、第二箱体２を枢接してなり、第一箱体１と第二箱体２の頂部外周縁に、取っ手３を設置すると共に、両側辺に二個の収納槽１０を凹設している。収納槽１０は、蓋板１１を第一箱蓋１の収納槽１０上に装着し、第一箱体１と第二箱体２の収納槽１０を分割している。蓋板１１上に鉄片８を設置し、蓋板１１は第一箱体１が設置する磁石９を吸付し、第一箱体１の収納槽１０を隔てて設置し、信号線、USB拡充器、イヤフォン、マイクロフォン等を収めることができる。第一箱体１の表面に、引き手４を設置し、引き手４の両側端に、それぞれ、連接棒４１を設置し、連接棒４１は、定位棒４２の凹槽内に定位して、ノート型パソコンのディスプレイを任意の傾斜角度に調整する。第一箱体１は係合部１２と停止片１３を設置し、係合部１２は、第一箱体１と第二箱体２を係合し、緊密に結合する。停止片１３は第一箱体１の凹口１４内に設置される。第二箱体２の収納槽１０は隔てて設置され、変圧器、電源線、マウス等を収めることができ、第二箱体２内にマウスパッド２１を設置でき、マウスパッド２１は、第二箱体２側辺のノッチ２２から引き出される。
【０００７】
図４を参照すると、本考案は、取っ手３により携帯でき、リング２３を設置して、ショルダーストラップ５と結合することもでき、携帯に便利である。
【０００８】
図５と図６で示されるように、本考案の引き手４両側端に、それぞれ、連接棒４１を設置し、連接棒４１は、定位棒４２の凹槽内に抵止し（図５で示される）、ノート型パソコン６のディスプレイを任意の傾斜角度に調整し、第一箱体１の停止片１３は開いて、ノート型パソコンを留め、第二箱体２側辺からマウスパッド２１を引き出し、マウス７を放置する（図６で示される）。
【図面の簡単な説明】
【０００９】
【図１】本考案の立体分解図１である。
【図２】本考案の立体分解図２である。
【図３】本考案の立体組み合わせ図である。
【図４】本考案とショルダーストラップの組み合わせ図である。
【図５】本考案の操作図である。
【図６】本考案の好ましい実施例図である。
【符号の説明】
【００１０】
１  第一箱体
２  第二箱体
３  取っ手
４  引き手
５  ショルダーストラップ
８  鉄片
９  磁石
１０  収納槽
１１  蓋板
１２  係合部
１３  停止片
１４  凹口
２１  マウスパッド
２２  ノッチ
２３  リング
４１  連接棒  
４２  定位棒
【図１】
0003144044.tif 000003
【図２】
0003144044.tif 000004
【図３】
0003144044.tif 000005
【図４】
0003144044.tif 000006
【図５】
0003144044.tif 000007
【図６】
0003144044.tif 000008
(57)【要約】      （修正有）【課題】枕をシンプルに部分品化し、部分品を複数標準規格化し、標準規格化された部分品の中から選択して、組み立て完成する、システム枕を提供する。【解決手段】筒状体１ａ，１ｂを横向きに並列に間隔配置し、筒状体の芯にアルミパイプを挿入、アルミパイプ両端にコネクターロッド３（連接体）をボルト５ａ，５ｂで取り付け筒状体の間隔を保持、頭部接点部位には、リング張りメッシュ７ａ，７ｂ（シート）を、筒状体に架設挿入し、組み上げ完成させるシステム枕である。【選択図】図１
0003144046.tif 000002
【実用新案登録請求の範囲】
【請求項１】
剛性を有する芯の周囲を覆った柔軟な筒状体と、前記筒状体を間隔をあけて複数設け、その周囲を覆うシートを備えたシステム枕。
【請求項２】
筒状体をそれぞれ結合する連接体を有する請求項１記載のシステム枕。
【請求項３】
筒状体は、大きさの異なるものに交換可能な請求項１〜２のいずれか１項記載のシステム枕。
【請求項４】
複数の筒状体のそれぞれの大きさを異ならせ、シートに傾斜を持たせた請求項１〜３のいずれか１項記載のシステム枕。
【請求項５】
シートは、少なくとも２つの堅さの異なる部分を有する請求項１〜４のいずれか１項記載のシステム枕。
【考案の詳細な説明】
【技術分野】
【０００１】
当考案は、枕をシンプルに部分品化し、且つ着脱容易組み立て簡単にしたシステム枕に関するものである。
【背景技術】
【０００２】
枕使用中、頭部体温が枕に移り蓄熱され、温度上昇により寝苦しさが増幅されて快気に使用でき難い。また病床など昼夜問わず長期使用の場合、枕の涼感を求めて裏返しを繰り返しながら使用するなど、爽快な使用が困難とされている。
【特許文献１】特開２００５−３１９２５０号公報
【考案の開示】
【考案が解決しようとする課題】
【０００３】
市場に提供されている枕の殆どが前述の通りで、本考案枕はシンプルに部分品化された複数部分品の中から選択組み立てる枕で、二本の筒状体に間隔をとり、並列横向きに配置し、筒状体には着脱自在のアルミパイプ芯を挿入、アルミパイプ芯を介してコネクターロッドで二本の筒状体間隔を保持、枕の頭部接点部位はメッシュ張りで対応、慣らされ馴染んでいる生活圏室内温度を、本考案枕が造型創出の内部空洞内換気を利し、頭部の熱をメッシュ通気により放熱させ、前述の欠点を解決することを目的とする。
【課題を解決するための手段】
【０００４】
本考案は、枕をシンプルに部分品化し、部分品を用途対照別に区分し、標準規格化（例乳幼児用、幼児用、児童用、成人用、特殊治療用など）し、標準規格化された部分品の中から選択し組み立てる、構成部品は筒状体二本を基幹部品に、筒状体の芯アルミパイプ二本、コネクターロッド二個、組み立てボルト四個、輪状に加工されたリングメッシュ一輪、の主要構成部品で組み上げるシステム枕である、造型は二本の筒状体を横向き並列に並べ間隔配置し、筒状体にアルミパイプ芯を挿入し、アルミパイプ両端にコネクターロッドをボルトで取り付け固定しパイプ間隔を保持、頭部接点部位にはリングメッシュで対応しシステム枕の造型完成、但し用途対照別標準規格化する部品は、高さを調整する筒状体、柔らかさ硬さを調整するリングメッシュである、個々の好みにフィットさせる複数規格部品、部品の互換性を簡単且つ容易にした、本考案の課題を解決する、システム枕。
【考案の効果】
【０００５】
枕に二本の筒状体を横向きに間隔配置することにより、枕内に創出された筒状体間の空洞内換気内に、メッシュ通気により頭部体温が放熱し、頭部温度上昇を防ぎさらに枕内蓄熱が軽減する。またフラット枕の高さ選びは数種の規格筒状体外径の中から好みに合わせ選択でき、且つ規格の異なる筒状体外径の組み合わせで傾斜枕を構成できる。
【０００６】
さらに逆傾斜使用の選択や、加えて二本の筒状体セット外周の両面張り硬軟リングメッシュの二者択一などシンプル部分品ながら選べる複数規格にできる。
【０００７】
組み立て或いは互換着脱が容易簡単で、こうした選択肢からジャストフィット枕で、眠りと健康に故事諺通り“頭寒足熱”の“頭寒”を枕に取り込むことで使用の長期短期を問わず、睡眠健康と病床の使用で爽快快癒に役立つ。
【考案を実施するための最良の形態】
【０００８】
枕本体は、全てパーツ化され、個々の好みの選択でパーツがセット化して創出される構成システム枕であり、二本の筒状体を基幹部品に、芯にアルミパイプを、アルミパイプにコネクターロッド（連接体）を取り付け固定筒状体の間隔保持に、頭部を支えるリングメッシュ（シート）を二本の筒状体外周に挿入し組み立てる、システム枕の、構成詳細を実施例により述べる
【実施例】
【０００９】
以下図１の斜視図と図２の部品図にもとづいて、符号により説明する。１ａと１ｂはシリコン合成ゴムの筒状体で、１ａと１ｂの二本の筒状体をセットにして、横向きに間隔並行配置枕が構成される。
【００１０】
２ａと２ｂは肉厚アルミパイプ（芯）で、１ａと１ｂの芯として筒状体に挿入されていて、筒状体と芯アルミパイプとは着脱自在にして、筒状体の組み替え互換性を容易にする、尚アルミパイプ両端内部に、５ａ５ｂ６ａ６ｂのボルトを取り付ける内螺子で加工する。
【００１１】
３はコネクターロッド（連接体）で、２ａと２ｂのアルミパイプの両端に組み付け、４は３と同仕様のコネクターロッドで３コネクターロッドの反対側２ａ２ｂに組み付けて、２ａ２ｂの間隔を並列保持する。
【００１２】
５ａと５ｂはボルトで、３コネクターロッドを２ａと２ｂのアルミパイプに取り付ける
６ａと６ｂはボルトで、４コネクターロッドを２ａと２ｂのアルミパイプ前述のボルト５ａと５ｂの反対側に取り付ける。
【００１３】
７ａと７ｂはシリコン合成ゴムメッシュ（シート）で、７ａは片面をメッシュ張りし、対する片面に７ｂでメッシュ張りにして、１ａ筒状体の側面でメッシュをつき合わせ融合処理し、対する１ｂ筒上枕の側面でも１ａ同様メッシュをつき合わせ融合処理して、メッシュをリング状にし１ａ１ｂの二本筒状体セットの外周に挿入する、但し実工程では数種規格セット化されたリングメッシュを需要好みに応じて挿入するのみである。
【００１４】
リングメッシュには両端に同質ゴムの縁取りをリング状に施し、筒状体の両側面に少し被り絞り、リングメッシュの横ずれを抑止する。
【図面の簡単な説明】
【００１５】
【図１】本考案の実施例を示す斜視図
【図２】本考案の実施例の部品図
【符号の説明】
【００１６】
１ａ  筒状体
１ｂ  筒状体
２ａ  筒状体芯アルミパイプ（芯）
２ｂ  筒状体芯アルミパイプ（芯）
３    コネクターロッド（連接体）
４    コネクターロッド（連接体）
５ａ  ボルト
５ｂ  ボルト
６ａ  ボルト（前述５ａの反対側面使用分）
６ｂ  ボルト（前述５ａの反対側面使用分）
７ａ  リングメッシュ（シート）
７ｂ  リングメッシュ（シート）
【図１】
0003144046.tif 000003
【図２】
0003144046.tif 000004